(57)【特許請求の範囲】
【請求項１】
浄水器の原水貯留部と浄水貯留部との間に配置され、前記原水貯留部に配置された原水を内部に取り入れるための原水導入口を有し、前記原水導入口から取り入れた前記原水を濾材を用いて浄化する浄水カートリッジであって、
前記濾材が配置される浄水部よりも上側に平面部を有し、
該平面部に前記原水導入口が平面形状のメッシュ部材を用いて形成され、
前記平面部は前記浄水器に設置した際に傾斜する面であり、該傾斜面に前記原水導入口が形成されており、
前記傾斜面は、水平方向に対する角度が４０〜７０°であり、
前記原水導入口よりも上方に空気を排出するための空気排出口が上端面に設けられていることを特徴とする浄水カートリッジ。
【請求項２】
前記傾斜面は前記上端面の端部から傾斜して形成されている請求項１に記載の浄水カートリッジ。
【請求項３】
前記上端面と前記傾斜面との間に、前記傾斜面と接する部分が前記上端面より下側になる面を有する請求項１に記載の浄水カートリッジ。
【請求項４】
前記傾斜面を有する凸部を上部に有し、
前記原水導入口は、前記傾斜面の下端まで形成されている請求項１乃至３のいずれかに記載の浄水カートリッジ。
【請求項５】
前記凸部は多角錐台形状の側面構造を有し、該多角錐台形状の側面構造が前記傾斜面となる請求項４に記載の浄水カートリッジ。
【請求項６】
前記濾材を配置するための円筒状のケース体と、前記凸部を前記ケース体と反対側に有し、かつ前記ケース体との連結部を有する上部蓋と、を少なくとも有する請求項４又は、５に記載の浄水カートリッジ。
【請求項７】
前記原水導入口は、前記メッシュ部材をインサート成形によって前記平面部に配置することにより形成される請求項１乃至６のいずれかに記載の浄水カートリッジ。
【請求項８】
浄水器の原水貯留部と浄水貯留部との間に配置され、前記原水貯留部に配置された原水を内部に取り入れるための原水導入口を有し、前記原水導入口から取り入れた前記原水を濾材を用いて浄化する浄水カートリッジであって、
前記濾材が配置される浄水部よりも上側に平面部を有し、
該平面部に前記原水導入口が平面形状のメッシュ部材を用いて形成され、
前記平面部は前記浄水器に設置した際に傾斜する面であり、該傾斜面に前記原水導入口が形成されており、
前記傾斜面は、水平方向に対する角度が４０〜７０°であり、
前記傾斜面に形成された全ての原水導入口よりも上方に空気を排出するための空気排出口が設けられていることを特徴とする浄水カートリッジ。
【請求項９】
請求項１乃至８のいずれかに記載の浄水カートリッジを備えることを特徴とする浄水器
【発明の詳細な説明】
【技術分野】
【０００１】
本発明は、浄水カートリッジ及びこれを備えた浄水器に関する。
【背景技術】
【０００２】
浄水カートリッジを備えた浄水器として、いわゆるポット型のものが知られている。このポット型の浄水器は、上側に位置する原水貯留部と、下側に位置する浄水貯留部との間に浄水カートリッジを介在させる構造になっている。原水貯留部に貯留される原水は自重により浄水カートリッジを通って浄水貯留部に流れ、浄水カートリッジ内にて浄化される。
【０００３】
図１１に、特許文献１に記載の浄水カートリッジ１０００を示す。浄水カートリッジ１０００は、濾材として吸着剤１００１と中空糸膜１００９とが容器内に配置されている。容器は、上方が開口し、濾材を収容する筒状のケース体１００２ｂと、この筒状ケース体１００２ｂの上部開口を塞ぐ円筒状蓋１００２ａと、から主に構成されている。円筒状蓋１００２ａは容器内に空気捕集部となる空間１００３を構成し、円筒状蓋１００２ａの上側中央には浄水カートリッジ内に発生する気泡を排出するための空気排出口１００６が設けられている。また、円筒状蓋１００２ａの側面には、原水を内部に取り込むための原水導入口１００４が設けられており、該原水導入口１００４はメッシュ部材を用いて構成されている。また、中空糸膜１００９はポッティング樹脂１０１０によって容器内に固定されており、ポッティング樹脂１０１０の下方には、濾材を通過して得られた浄水の浄水排出口１００７が設けられている。
【０００４】
また、図１２に、図１１に示した浄水カートリッジ１０００を備えるポット型の浄水器２０００の概略図を示す。浄水器２０００は、原水貯留部２００４を構成する内容器２００２と、浄水貯留部２００３を構成する外容器２００１とを有する。内容器２００２はカートリッジ収容部２００２ｂを有し、浄水カートリッジ１０００はこのカートリッジ収容部２００２ｂに配置されている。原水貯留部２００４に溜められている原水は原水導入口１００４から浄水カートリッジ内に流れ込み、自重により濾材が配置されている浄水部を通って浄化される。得られた浄水は、浄水排出口から浄水貯留部２００３に流れる。
【先行技術文献】
【特許文献】
【０００５】
【特許文献１】特開２００４−２３０３４１号公報
【発明の概要】
【発明が解決しようとする課題】
【０００６】
ここで、特許文献１に記載されるメッシュ部材を用いた原水導入口を形成する場合は、円筒状蓋１００２ａとメッシュ部材は一体に成形される。例えば、円筒状蓋の成形型の原水導入口に対応する部分にメッシュ部材を配置し、そこに円筒状蓋の材料を成形型に流し込んで硬化させることによって、メッシュ部材を円筒状蓋と一体に成形する。
【０００７】
しかし、円筒状蓋の側面にメッシュ部材を用いた原水導入口を形成するには、このメッシュ部材を円筒状蓋の側面に沿うように湾曲させた状態で一体成形することが必要となる。つまり、メッシュ部材を湾曲形状に加工する、又は湾曲させて成形型に配置する工程が必要となる。コストの観点から、より少ない工程で浄水カートリッジを製造できることが好ましい。
【０００８】
また、メッシュ部材を湾曲させることにより、メッシュ部材に負荷がかかることになり、メッシュ部材の耐久性が低下する原因となる場合もある。
【０００９】
そこで、本発明は、より少ない工程で製造することができ、耐久性にも優れたメッシュ部材の原水導入口を有する浄水カートリッジを提供することを目的とする。
【課題を解決するための手段】
【００１０】
そこで、本発明は、
浄水器の原水貯留部と浄水貯留部との間に配置され、前記原水貯留部に配置された原水を内部に取り入れるための原水導入口を有し、前記原水導入口から取り入れた前記原水を濾材を用いて浄化する浄水カートリッジであって、
前記濾材が配置される浄水部よりも上側に平面部を有し、
該平面部に前記原水導入口が平面形状のメッシュ部材を用いて形成されており、
前記平面部は前記浄水器に設置した際に傾斜する面であり、該傾斜面に前記原水導入口が
形成されており、
該傾斜面は、水平方向に対する角度が４０〜７０°であり、
前記原水導入口よりも上方に空気を排出するための空気排出口が上端面に設けられていることを特徴とする浄水カートリッジである。
【００１１】
また、本発明は上記浄水カートリッジを備える浄水器である。
【発明の効果】
【００１２】
本発明の浄水カートリッジは、メッシュ部材を湾曲させる工程が必要ないため、より少ない工程で製造することができる。また、本発明の浄水カートリッジは、メッシュ部材に負荷をかけないで原水導入口を形成することができる。
【図面の簡単な説明】
【００１３】
【図１】本発明の浄水カートリッジの実施形態を示す概略断面図である。
【図２】図１に示した浄水カートリッジの構成例における上面図である。
【図３】上部蓋の態様を示す概略断面図及び上面図である。
【図４】上部蓋の態様を示す概略断面図である。
【図５】本発明の浄水カートリッジの実施形態を示す概略断面図及び上面図である。
【図６】本発明の浄水カートリッジの実施形態を示す概略断面図及び上面図である。
【図７】本発明の浄水カートリッジの実施形態を示す概略断面図及び上面図である。
【図８】図１における上部蓋の拡大断面図である。
【図９】本発明の実施形態の浄水カートリッジを装着した浄水器の構成を説明するための概略断面図である。
【図１０】本発明の浄水カートリッジの実施形態の一部を示す概略断面図である。
【図１１】従来の浄水カートリッジの構成例を示す概略断面図である。
【図１２】従来の浄水カートリッジを装着した浄水器の構成を説明するための概略断面図である。
【発明を実施するための形態】
【００１４】
本発明は、浄水器の原水貯留部と浄水貯留部との間に配置されて原水を濾材を用いて浄化する浄水カートリッジに関する。
【００１５】
以下、本発明の浄水カートリッジの実施形態について説明する。
【００１６】
（実施形態１） 
図１は本発明の浄水カートリッジの構成を説明するための概略断面図である。なお、本明細書において、浄水器に配置した状態を基準にして浄水カートリッジの上下方向を記載している。
【００１７】
図１において、浄水カートリッジ１００は、原水を浄水するための濾材として吸着剤１０１及び中空糸膜１０９を内部に収容する容器を有する。容器は、上部蓋１０２ａ、濾材が配置されるケース体１０２ｂ、及び浄水排出口１１１を有する下部蓋１０２ｃを主に含んで構成される。上部蓋１０２ａは凸部１０３を有し、この凸部１０３内に形成される空間が空気捕集部として機能し、凸部１０３の上端面１０８に設けられた空気排出口１０６から気泡等の空気が排出される。
【００１８】
また、上部蓋１０２ａは、凸部１０３の上端面１０８の端から傾斜して形成されている傾斜面１０７を有する。この傾斜面１０７には、原水を内部に導入するための原水導入口１０４が平面形状のメッシュ部材を用いて形成されている。
【００１９】
図２に、図１に示した浄水カートリッジの上面図について例を示す。図２に示すように、上部蓋１０２ａは、上端面１０８から凸部１０３の下端まで傾斜して平面部としての傾斜面１０７が形成されている。この傾斜面１０７には平面形状のメッシュ部材を用いて原水導入口１０４が平面状に形成されている。
【００２０】
また、濾材としての吸着剤１０１及び中空糸膜１０９は、ケース体１０２ｂの内部である浄水部に収容されている。中空糸膜１０９はケース体１０２ｂの下側にポッティング樹脂１１０で固定され内部に収容されている。中空糸膜１０９の端部はポッティング樹脂の濾材が配置される側の面と反対の面側に開口している。
【００２１】
また、ケース体１０２ｂの下端には、原水が濾材を通過して得られた浄水を排出する浄水排出口１１１を有する下部蓋１０２ｃが設けられている。
【００２２】
原水は、平面部としての傾斜面１０７に設けられた平面形状の原水導入口１０４から容器内に入り込む。容器内に入った原水は、自重によって下方に流れ、吸着剤１０１及び中空糸膜１０９等の濾材によって浄化される。原水が濾材を通って得られた浄水は、浄水排出口１１１から浄水器の浄水貯留部に流れ出る。
【００２３】
本発明の浄水カートリッジにおいて、濾材を収容する容器は、濾材が配置される浄水部よりも上側に平面部を有し、該平面部に原水導入口が平面形状のメッシュ部材を用いて平面状に形成されている。このような構成とすることにより、本発明の浄水カートリッジは、メッシュ部材を湾曲させる工程が必要ないため、より少ない工程で製造することができる。また、メッシュ部材に負荷をかけないで原水導入口を形成することができる。
【００２４】
以下、本発明の構成について詳細に説明する。
【００２５】
上述のように、原水導入口は、濾材が配置される浄水部よりも上側の平面部に平面形状のメッシュ部材を用いて平面状に形成される。平面部は、浄水カートリッジを浄水器に配置した際に傾斜する面であることが好ましい。例えば、図１に示すように、上端面１０８の端の１辺から下方に傾斜する平面に原水導入口を形成することができる。なお、図１において、空気排出口が設けられる上端面１０８の端辺と傾斜面１０７の上端辺とが接する構成となっている。また、図１においては、傾斜面は上端面の１辺に対応して１つだけ形成されている。傾斜面を１つ設け、該傾斜面に原水導入口を１枚のメッシュ部材を用いて形成することにより、より容易に広い原水導入口を形成することができる。また、原水導入口を傾斜面に設けることで原水導入口に気泡が溜まり難くできる。
【００２６】
原水導入口を形成する平面部が傾斜面である場合、該傾斜面の水平方向との角度は、例えば１０°〜９０°とすることができ、４０°〜７０°とすることが好ましく、４５°〜６５°とすることがより好ましい。傾斜面を４０°以上とすることにより、気泡等の空気が原水導入口に溜まらずに上方に集め易くすることができる。また、傾斜面を７０°以下とすることにより、容器の高さを好ましい範囲に抑え易くできる。
【００２７】
原水導入口は平面形状のメッシュ部材を用いてインサート成形によって形成することができる。図８は、図１に示した上部蓋の拡大断面図であって、メッシュ部材がインサート成形された状態を示す図である。平面部に平面形状のメッシュ部材をインサート成形することにより、メッシュ部材に負荷をかけないで、よりすくない工程で原水導入口を形成することができる。
【００２８】
強度的な観点から、メッシュ部材を平面部にインサートする距離（図８におけるｄ）は１〜７ｍｍとすることが好ましく、２〜５ｍｍとすることがより好ましい。
【００２９】
容器の材料としては、特に限定されるものではないが、機械的強度や成型性等の観点から、例えば、ＡＢＳ樹脂、ポリカーボネート樹脂、メタクリル樹脂、ポリプロピレン樹脂、ポリスチレン樹脂、ＭＳ樹脂、ナイロン樹脂などを用いることができる。
【００３０】
メッシュ部材の材質は、特に限定されるものではなく、例えば材料として、ステンレスなどの金属、ポリプロピレン、ポリエチレン、ＡＢＳ、ポリエステル、ナイロンなどの合成樹脂、綿や絹などの繊維等を用いることができる。形状としても、溶融成型体、編み織物、不織布、焼結体、など、開口部を有するメッシュ材であれば、何れをも用いることができる。開口部は、吸着材の最小粒径よりも小さい開口サイズを有することが好ましい。
【００３１】
濾材としては、原水を浄化する機能を有する材料であり、例えば、吸着剤や中空糸膜等を挙げることができる。
【００３２】
吸着剤としては、粉末状吸着剤若しくは該粉末状吸着剤を造粒した粒状吸着剤、又は繊維状吸着剤等が挙げられる。このような吸着剤としては、例えば、天然物系吸着剤（天然ゼオライト、銀ゼオライト、酸性白土等）、又は合成物系吸着剤（合成ゼオライト、細菌吸着ポリマー、リン鉱石、モレキュラーシーブ、シリカゲル、シリカアルミナゲル、多孔質ガラス等）等の無機系吸着剤が挙げられる。また、吸着剤として、活性炭を用いることが好ましく、活性炭としては、例えば、粉末状活性炭、粒状活性炭、繊維状活性炭、ブロック状活性炭、押出成形活性炭、成形活性炭、合成物系粒状活性炭、合成物系繊維状活性炭等が挙げられる。また、吸着剤として、無機系吸着剤の他にも有機系吸着剤を用いることもでき、有機系吸着剤としては、例えば、分子吸着樹脂、イオン交換樹脂、イオン交換繊維、キレート樹脂、キレート繊維、高吸収性樹脂、高吸水性樹脂、吸油性樹脂、吸油剤等が挙げられる。これらの中でも、原水中の残留塩素やカビ臭、トリハロメタンなどの有機化合物の吸着力に優れた活性炭が好適に用いられる。
【００３３】
吸着剤は、一般的に、細かいほど比表面積が大きく、反応測度が速くなるため浄化能力が高くなる。しかし、細かすぎると空気排出口や原水導入口から漏れ出易くなる。そのため、粒状の吸着剤の場合、積算ふるい上質量が９５％となる粒径が０．３５ｍｍ以上であることが好ましい。
【００３４】
活性炭としては、充填密度０．１〜０．６ｇ／ｍｌ、ヨウ素吸着量８００〜４０００ｍｇ／ｇ、粒度０．０７５〜６．３ｍｍの性状を有するものが好ましい。また、活性炭に銀が添着されていると、細菌や微生物の繁殖を抑制することができる。
【００３５】
吸着剤として活性炭を用いる場合、浄水カートリッジ内の活性炭の質量は例えば１０〜２００ｇの範囲とすることができる。
【００３６】
中空糸膜としては、特に限定されるものではないが、例えば、セルロース系、ポリオレフィン（ポリエチレン、ポリプロピレン）系、ポリビニルアルコール系、エチレン・ビニルアルコール共重合体、ポリエーテル系、ポリメタクリル酸メチル（ＰＭＭＡ）系、ポリスルフォン系、ポリアクリロニトリル系、ポリ四フッ化エチレン（テフロン（登録商標））系、ポリカーボネート系、ポリエステル系、ポリアミド系、芳香族ポリアミド系などの各種材料からなるものが挙げられる。これらの中でも、中空糸膜の取扱い性や加工特性等、更には廃棄時に焼却可能であることなどを考慮すると、ポリエチレンやポリプロピレン等のポリオレフィン系の中空糸膜が好ましい。
【００３７】
また、特に限定されるものではないが、中空糸膜について、外径は２０〜２０００μｍ、孔径は０．０１〜１μｍ、空孔率は２０〜９０％、膜厚は５〜３００μｍのものが好ましい。また、中空糸膜は表面に親水基を有する、いわゆる親水化中空糸膜であることが望ましい。
【００３８】
吸着剤は、特に限定されるものではないが、浄水が通過でき、吸着剤を容器内に保持可能な隔壁によって容器内に保持することができる。また、中空糸膜をポッティング樹脂を用いて容器内に収容する場合は、該ポッティング樹脂が前記隔壁の代わりとなる。
【００３９】
また、吸着剤と中空糸膜とを濾材として容器内に保持することが好ましい。吸着剤と中空糸膜の配置は、図１に示すように、上流側に濾材、下流側に中空糸膜とすることが好ましい。
【００４０】
空気排出口の形状としては、特に制限されるものではないが、例えば、円形状、楕円形状、多角形状とすることができ、不定形状であってもよい。
【００４１】
空気排出口の形状は適宜選択することができるが、例えば空気排出口の径は０．６ｍｍ以上とすることができる。空気排出口の径を０．６ｍｍ以上とすることにより、空気をすみやかに外に排出することができる。また、容器内に収容される吸着剤の大きさを考慮して選択することができる。なお、前述の径とは、円形状の場合は直径をいい、楕円形状の場合は長径、多角形の場合は最も長い対角線をいい、不定形の場合は最も広い幅をいう。
【００４２】
空気排出口は、容器の頂部に設けることが好ましい。例えば、図１のように、容器の上端面に１以上設けることができる。
【００４３】
容器の形状として、本発明の構成を有すればよく、特に制限されるものではない。例えば図１に示すように、濾材を収容し、浄水部を構成するケース体１０２ｂと、該ケース１０２ｂの上部開口を塞ぐ上部蓋１０２ａと、前記ケース体１０２ｂの下端に配置される下部蓋１０２ｃと、から主に構成される容器とすることができる。
【００４４】
図１に示す構成例の場合、上部蓋１０２ａの下端とケース体１０２ｂの上端は同形状を有し、上部連結部１１３で連結される。連結方法としては、特に限定されるものではないが、例えば、接着や融着等の手法を用いることができる。また、同様に、ケース体１０２ｂの下端と下部蓋１０２ｃの上端は同形状を有し、下部連結部１１４で連結される。
【００４５】
ケース体１０２ｂの形状は、特に制限されるものではないが、例えば、円柱状（円筒状）、楕円柱状、多角柱状等とすることができる。ケース体１０２ｂの形状に応じて、上部蓋１０２ａの下端の形状を適宜選択することができる。
【００４６】
また、実施形態の一つとして、筒状のケース体１０２ｂと、該筒状ケース体と同じ径を有する略筒状の上部蓋１０２ｂで構成される浄水カートリッジを図５に示す。
【００４７】
また、上述の実施形態では上端面を設け、該上端面に空気排出口を形成していたが、特にこれに限定されるものではなく、図６に示すように、傾斜面に空気排出口を設ける構成とすることもできる。
【００４８】
また、図７に示すように、原水導入口１０４が形成される平面部として２つの傾斜面１０７を有する容器とすることもできる。図７では、上端面の両端辺から下方に傾斜する傾斜面１０７を２つ有し、この２つの傾斜面にそれぞれメッシュ部材を用いて原水導入口１０４が形成されている。
【００４９】
図９に、図１に示した浄水カートリッジを備える浄水器の構成例を示す。
【００５０】
図９に示す浄水器２００はいわゆるポット型浄水器である。浄水器２００は、水道水等の原水を供給して貯留させておく原水貯留部２０４と、原水貯留部２０４の底部に装着される浄水カートリッジ１００と、原水貯留部２０４及び浄水カートリッジの下方に位置する浄水貯留部２０３とで主体を成す。原水貯留部２０４内に貯留されていた原水は自重により浄水カートリッジを通過する際に浄化され、浄水貯留部２０３にまで流下する。
【００５１】
浄水器２００は、上端が開口した有底筒型の外容器２０１と、外容器２０１の上端開口から挿入されて外容器２０１内に配置される上端が開口した有底筒型の内容器２０２とを具備している。内容器２０２は、外容器２０１の半分程度又はそれ以下の深さで配置されており、外容器２０１の上半部に対して所定の隙間２０５を除く部分で隙間なく嵌合することで、内容器２０２内に上記の原水貯留部２０４を形成している。また、内容器２０２の底壁２０２ａと外容器２０１の底壁２０１ａとの間に浄水貯留部２０３が設けられている。隙間２０５は浄水貯留部２０３から上方に延設されるように形成され、浄水を注ぐ際の注ぎ路として機能する。
【００５２】
内容器２０２の上端開口には、上蓋部２０６が嵌め込まれている。上蓋部２０６には、例えば、中央には給水口を開口させ、該給水口をその上方から塞ぐ開閉自在のフラップを設けることができる。
【００５３】
また、隙間２０５の上端に形成される開口は注ぎ口として機能し、該注ぎ口には注ぎ蓋２０７が設けられている。
【００５４】
内容器の底壁２０２ａには浄水カートリッジを収容する収容部２０２ｂが設けられており、内容器の底壁２０２ａはその収容部２０２ｂに向かって緩やかな下り傾斜に形成されている。浄水カートリッジの収容部２０２ｂは、内容器の底壁２０２ａに浄水貯留部に向かって凹設されている。浄水カートリッジは、収容部２０２ｂに上方から嵌め込んで装着される。収容部２０２ｂの底部中央は開口させており、収容部２０２ｂ及びこの底部の開口を介して、つまり収容部２０２ｂに装着される浄水カートリッジを介して、原水貯留部２０４とこの下方に位置する浄水貯留部２０３とが連通する構造となっている。
【００５５】
また、本実施形態では、上部蓋１０２ａの側面に、ガスケット等の弾性体１１２を設置する溝部を設けて、弾性体１１２により密嵌させるシール構造としている。このようなシール構造を採用することにより、図９に示すように、内容器２０２のカートリッジ収容部２０２ｂに密嵌させた状態で収容することができる。
【００５６】
また、原水貯留部２０４内の原水をカートリッジ内部に導入するため、原水導入口はその下端がカートリッジ収容部２０２ｂの開口上端と同じ高さ又はそれより下方に位置するように形成されていることが好ましい。
【００５７】
（実施形態２） 
図１においては、傾斜面１０７が一つのみ形成された構成例について示したが、本発明は特にこれに限定されるものではなく、図３に示すように、複数の傾斜面１０７を形成することができる。図３では、上端面１０８のそれぞれの端辺にそれぞれ対応して複数の傾斜面が形成されており、該傾斜面に原水導入口が形成されている。これらの傾斜面には少なくとも１つに原水導入口が形成されていればよい。
【００５８】
例えば、容器の上部を多角錐台形状とし、この多角錐台の側面に原水導入口を設けることができる。より具体的には、例えば、多角錐台の凸部を有する上部蓋を形成し、該多角錐台の側面に平面形状のメッシュ部材を用いて原水導入口を形成することができる。
【００５９】
また、容器の上部を多角錐台形状とすることで、原水導入口の下端の形状を辺で構成することができる。つまり、原水導入口は、原水貯留部の原水を内部に導入するため、通常、原水導入口はその下端が上述のカートリッジ収容部の開口上端の位置と同じ高さ又はそれより下になるように形成される。その際、原水導入口をメッシュ部材を用いて例えば円形状に形成すると、原水導入口の下端では原水の導入効率が低下するため、原水貯留部の原水が減って原水の高さが低くなると、原水を容器内部に導入する効率が低下する場合がある。そこで、本実施形態のように、容器の上部を多角錐台形状とすることで、原水導入口の下端を容易に辺で構成できるようになり、原水導入口の下側の面積を確保することができる。また、多角錐台形状とすることで周方向から効率的に原水を取り込むこともできるようになる。
【００６０】
本実施形態のより好ましい具体例を図１０に示す。図１０は、図３に示した構成を有する浄水カートリッジをカートリッジ収容部に配置した状態の部分的な概略断面図である。図１０は、簡略化のため、浄水カートリッジのうち上部蓋部分のみを示している。図１０に示すように、原水導入口１０４は、多角錐台の側面部分に側面の下端（凸部の下端）まで形成されていることが好ましい。また、凸部の下端は水平面で構成され、凸部の下端はカートリッジ収容部の開口上端と同じ高さ又はそれより下方に配置されるように形成されていることが好ましい。このような構成とすることにより、原水貯留部の原水をより効率的に容器内部に導入することができる。
【００６１】
（実施形態３） 
図１においては、平面部としての傾斜面１０７が上端面１０８の端部から傾斜して形成されている構成例を示した。本実施形態では、上端面１０８と傾斜面１０７との間に、傾斜面と接する部分が上端面１０８より下側になる面を有する構成例について示す。つまり、本実施形態では、図４に示すように、傾斜面１０７の上端から上方向に延伸する突起部１０３’が形成されている。突起部１０３’の上側は上端面１０８で構成され、上端面１０８に空気排出口１０６が形成されている。傾斜面１０７は突起部１０３’の側面１１２を介して上端面１０８に繋がっている。突起部を設けることにより浄水カートリッジをつまみ易くすることができる。
【００６２】
突起部１０３’の側面１１２は特に垂直方向に限定されるものではなく、図４（ｂ）に示すように傾斜を有していてもよい。
【００６３】
また、図４（ｃ）に示すように、実施形態２で例として示した多角錐台の上部に突起部１０３’を設けた構成とすることもできる。図４（ｃ）は、多角錐台形状の側面構造の上に突起部を設けた構成を示している。つまり、多角錐台形状の側面構造の上に突起部を設け、該突起部の上端に空気排出口を設け、前記側面構造の側面に原水導入口を側面下端まで設けた構成とすることができる。
【００６４】
（実施形態４） 
上述では、原水導入口を設ける平面部として傾斜面の場合について主に説明したが、本発明は特にこれに限定されるものではない。例えば、平面部は、浄水器に設置した際に略垂直な面であり、該垂直面の少なくとも１つに原水導入口が形成されている浄水カートリッジとすることができる。
【００６５】
例えば、容器の少なくとも上部を多角柱状に形成し、該多角柱状の側面に平面形状のメッシュ部材を用いて原水導入口を形成した構成とすることができる。
【符号の説明】
【００６６】
１００    浄水カートリッジ
１０１    吸着剤
１０２ａ  上部蓋
１０２ｂ  ケース体
１０２ｃ  下部蓋
１０３    凸部
１０３’  空気捕集部
１０４    原水導入口
１０６    空気排出口
１０７    平面部（又は傾斜面）
１０８    上端面
１０９    中空糸膜
１１０    ポッティング樹脂
１１１    浄水排出口
１１２    弾性体
１１３    上部連結部
１１４    下部連結部
２００    浄水器
２０１    外容器
２０１ａ  外容器の底壁
２０２    内容器
２０２ａ  内容器の底壁
２０２ｂ  カートリッジ収容部
２０３    浄水貯留部
２０４    原水貯留部
２０５    隙間
２０６    上蓋部
２０７    注ぎ蓋
【図１】
0005999453.tif 000002
【図２】
0005999453.tif 000003
【図３】
0005999453.tif 000004
【図４】
0005999453.tif 000005
【図５】
0005999453.tif 000006
【図６】
0005999453.tif 000007
【図７】
0005999453.tif 000008
【図８】
0005999453.tif 000009
【図９】
0005999453.tif 000010
【図１０】
0005999453.tif 000011
【図１１】
0005999453.tif 000012
【図１２】
0005999453.tif 000013